(57)【特許請求の範囲】
【請求項１】
板状の表面板（２１ａ，２２ａ，２３ａ）を有し、直列に接合される分割パネル（２１，２２，２３）と、該分割パネル（２１，２２，２３）の裏面側に装着される裏面側パネル（２９）と、底板（３１ａ）及び該底板（３１ａ）の各端縁から同一方向に突設された一対の側板（３１ｂ，３１ｃ）を有している枠部材（３０）と、平板状の押え板（４１）及び先端に外嵌溝（４２ａ）を凹設した傾斜突出部（４２）からなる押え部材（４０）とを備えている荷箱用パネルであって、
前記各分割パネル（２１，２２，２３）は、接合される側の縁部から裏面側へ接合突起（２５）が突設され、該接合突起（２５）同士が互いに結合され、かつ、接合されない側の縁部から裏面側へ突設板（２４）が突設され、該突設板（２４）の先端部から板片（２６）が表面板（２１ａ，２２ａ，２３ａ）と平行に設けられ、
前記枠部材（３０）は、一対の側板（３１ｂ，３１ｃ）が前記両側の分割パネル（２１，２３）の表面板（２１ａ，２３ａ）と板片（２６）とを挟み、かつ、裏面側の側板（３１ｃ）の先端部(３１ｄ)が板片（２６）から離隔するように若干反り返り、
前記裏面側パネル（２９）は、外周縁が前記裏面側の側板（３１ｃ）の先端部（３１ｄ）との間に間隔を開けて前記板片（２６）上に重ね合わされ、
前記押え部材（４０）は、外嵌溝（４２ａ）が前記枠部材（３０）の裏面側の側板（３１ｃ）の先端部（３１ｄ）を外嵌して、押え板（４１）が前記裏面側パネル（２９）に重ね合わされ、該裏面側パネル（２９）が押え板（４１）と板片（２６）とに挟まれてリベット止めされていることを特徴とする荷箱用パネル。
【請求項２】
前記分割パネル（２１，２２，２３）には、表面板（２１ａ，２２ａ，２３ａ）の中間部から裏面側へ突設板（２４）が突設され、前記裏面側パネル（２９）を接合する板片（２６）が前記突設板（２４）の先端部から表面板（２１ａ,２２ａ，２３ａ）と平行に設けられていることを特徴とする請求項１記載の荷箱用パネル。
【請求項３】
前記分割パネル（２１，２２，２３）の接合突起（２５）同士は、ボルト止めされていることを特徴とする請求項１または２記載の荷箱用パネル。
【発明の詳細な説明】
【０００１】
【発明の属する技術分野】
本発明は、例えば運送車両の荷台などに装備される荷箱を構築するために用いられる荷箱用パネルに関するものである。
【０００２】
【従来の技術】
従来、図１２に示すような荷箱用パネル１００が知られている。この荷箱用パネル１００は、例えば、図１２の（イ）に示すような運送車両Ｃの荷台に装備された荷箱１１０に適用されるものであり、荷箱本体１１１の他に当該荷箱本体１１１の後面部に設けられる観音開き式の開閉扉１１２にも採用されている。
【０００３】
図１２の(ロ)は、図１２の（イ）に示す開閉扉１１２のＡ−Ａ線断面図である。この図に示すように、荷箱用パネル１００は、複数の分割パネル１０１(図１２の(ロ)に示す例では左分割パネル１０１ａ、中央分割パネル１０１ｂおよび右分割パネル１０１ｃ)が縁部同士を当接させて直列に接続されることにより形成されている。各分割パネル１０１は、アルミニウム合金を原料とした押出成形によって形成されており、表パネル１０２と裏パネル１０３とが上下方向に延びる所定数の架橋片１０４を介して一体に結合されている。
【０００４】
左分割パネル１０１ａの左端縁および右分割パネル１０１ｃ右端縁には、上下方向（図１２の紙面と直交する方向）に延びる蟻溝状の係止溝１０５がそれぞれ設けられた上で各係止溝１０５にゴム材料からなるガスケット１０６が嵌め込まれ、これによって開閉扉１１２が閉じられた状態での荷箱本体１１１内の気密性が確保されるようになっている。
【０００５】
また、左分割パネル１０１ａおよび中央分割パネル１０１ｂの右端部には、上下方向に延びた雄状接続縁１０８がそれぞれ設けられているとともに、中央分割パネル１０１ｂおよび右分割パネル１０１ｃの左端部には、雄状接続縁１０８に対応した雌状接続縁１０７がそれぞれ設けられ、各雄状接続縁１０８を対応した雌状接続縁１０７にそれぞれ嵌め込むことによって荷箱用パネル１００（この場合は開閉扉１１２）が形成される。
【０００６】
【発明が解決しようとする課題】
ところで、上記のような従来の荷箱用パネル１００にあっては、図１２の（ロ）に示すように、中央分割パネル１０１ｂの中央位置に開閉扉１１２の閉止状態をロックするための上下方向に延びた施錠ロッド１１３が設けられているが、この施錠ロッド１１３は、表パネル１０２に固定された支持金具１１４に上下動可能に支持されている。
【０００７】
支持金具１１４は、リベットを介して表パネル１０２に固定されているが、リベットを用いて支持金具１１４を表パネル１０２に固定しようとすれば、リベットとして大きな荷重に耐え得る特殊な大型のものを採用し、且つかしめ用の工具も大型のリベットに対応した特殊なものを採用しなければならず、一般的なリベットや一般的なかしめ工具を採用し得ないため汎用性に欠け、結局、従来の荷箱用パネル１００は組み付け時の作業性の点で劣り、これによって作業効率が低下するという不都合が存在した。
【０００８】
以上、表パネル１０２に装着される部材として、施錠ロッド１１３を例に挙げて説明したが、これらに限らず各種の部材（例えば開閉扉１１２を荷箱本体１１１に連結するヒンジ部材等）を表パネル１０２に装着するときにも多くの場合上述のような問題点が発生する。
【０００９】
本発明は、上記のような状況に鑑みなされたものであり、良好な組み付け性を確保することによって組み付け作業の作業効率の向上を図ることが可能な荷箱用パネルを提供することを目的としている。
【００１０】
【課題を解決するための手段】
請求項１記載の発明は、板状の表面板２１ａ，２２ａ，２３ａを有し、直列に接合される分割パネル２１，２２，２３と、該分割パネル２１，２２，２３の裏面側に装着される裏面側パネル２９と、底板３１ａ及び該底板３１ａの各端縁から同一方向に突設された一対の側板３１ｂ，３１ｃを有している枠部材３０と、平板状の押え板４１及び先端に外嵌溝４２ａを凹設した傾斜突出部４２からなる押え部材４０とを備えている荷箱用パネルであって、前記各分割パネル２１，２２，２３は、接合される側の縁部から裏面側へ接合突起２５が突設され、該接合突起２５同士が互いに結合され、かつ、接合されない側の縁部から裏面側へ突設板２４が突設され、該突設板２４の先端部から板片２６が表面板２１ａ，２２ａ，２３ａと平行に設けられ、前記枠部材３０は、一対の側板３１ｂ，３１ｃが前記両側の分割パネル２１，２３の表面板２１ａ，２３ａと板片２６とを挟み、かつ、裏面側の側板３１ｃの先端部が板片２６から離隔するように若干反り返り、前記裏面側パネル２９は、外周縁が前記裏面側の側板３１ｃの先端部３１ｄとの間に間隔を開けて前記板片２６上に重ね合わされ、前記押え部材４０は、外嵌溝４２ａが前記枠部材３０の裏面側の側板３１ｃの先端部３１ｄを外嵌して、押え板４１が前記裏面側パネル２９に重ね合わされ、該裏面側パネル２９が押え板４１と板片２６とに挟まれてリベット止めされていることを特徴とするものである。
【００１１】
この発明によれば、複数の分割パネルを、それぞれの接合突起同士が互いに当接するように直列に配置した状態で、当接している接合突起同士をボルト止めその他で固定することにより、複数の分割パネルが並設されてなる荷箱用パネルが形成される。
【００１２】
そして、分割パネル２１，２２，２３は、板状の表面板２１ａ，２２ａ，２３ａと、該表面板２１ａ，２２ａ，２３ａの縁部から裏面側へ突設された接合突起２５とを備えて構成され、従来の分割パネルのように所定の介設片を介して表パネルと裏パネルとが当初から一体に形成されたようなものではない。また、本荷箱用パネルの裏面側パネル２９は、分割パネル２１，２２，２３の裏面側に設けられた板体２６上に重ね合わされ、板体２６と押え部材４０の押え板４１とに挟まれた状態でリベット止めされることによって装着される。したがって、裏面側パネル２９が分割パネル２１，２２，２３に装着されていない状態においては、当接した接合突起２５同士のボルト止め等による連結操作や、表面板２１ａ，２２ａ，２３ａへの各種部材の装着操作を裏パネルに邪魔されることなく容易に行うことができる。
【００１３】
また、分割パネル２１，２２，２３に裏面側パネル２９が装着されていない状態においては、分割パネル２１，２２，２３同士の接合突起２５を介したボルト等による接合位置や、各種部材の表面板２１ａ，２２ａ，２３ａを貫通したボルト止め等による表面板２１ａ，２２ａ，２３ａへの装着位置を、裏面側パネル２９に邪魔されることなく表面板２１ａ，２２ａ，２３ａの裏面側から視認することが可能になる。
【００１４】
したがって、従来の荷箱用パネルにあっては、表面板同士の接合作業時や各種部材の取り付け時に、表面板の裏面側からは裏パネルが邪魔になって表面板同士の接合位置などを視認することができないような不都合が存在するが、請求項１の発明ではそのような不都合が解消され、従来に比べて組み付け性が各段に向上し、これによって荷箱用パネルの製造コストの低減化に貢献する。
【００１５】
さらに、裏面側パネル２９の端縁と枠部材３０の裏面側の側板３１ｃの先端部３１ｄとの間に間隔が開けられ、この先端部３１ｄが板体２６から離隔するように若干反り上がることにより、押え部材４０の外嵌溝４２ａをこの先端部３１ｄに外嵌し、押え板４１が傾斜した姿勢から裏面側パネル２９と重なり合うように倒れた姿勢とすることができる。そして、裏面側パネル２９は、押え部材４０の押え板４１と板体２６とに挟まれた状態となって、リベット止めされることにより、分割パネル２１，２２，２３に固定される。
【００１７】
このように裏面側パネル２９が分割パネル２１，２２，２３に固定されることにより、荷箱用パネルを組み立てて形成された荷箱の内面側が凹凸のない平らな状態になるため、荷箱内に収納された収納品が表面板２１ａ，２２ａ，２３ａの裏面側の凹凸と緩衝して壊れるような不都合が回避される。裏面側パネル２９として断熱材料からなるものを採用すれば、荷箱は、例えば冷凍品など、断熱処理が必要な物品の収納用として有効に利用し得るものになる。
【００１８】
請求項２記載の発明は、請求項１記載の発明において、前記分割パネル２１，２２，２３には、表面板２１ａ，２２ａ，２３ａの中間部から裏面側へ突設板２４が突設され、前記裏面側パネル２９を接合する板片２６が前記突設板２４の先端部から表面板２１ａ,２２ａ，２３ａと平行に設けられていることを特徴とするものである。
【００１９】
この発明によれば、分割パネル２１，２２，２３には、表面板２１ａ，２２ａ，２３ａの中間部から裏面側へ突設板２４が突設され、この突設板２４の先端部から表面板２１ａ,２２ａ，２３ａと平行に板体２６が設けられ、この板体２６に裏面側パネル２９が当接することにより、裏面側パネル２９は分割パネル２１，２２，２３に安定した状態で取り付けることが可能となる。
【００２０】
請求項３記載の発明は、請求項１または２記載の発明において、前記分割パネル２１，２２，２３の隣接している接合突起２５は、ボルト止めされていることを特徴とするものである。
【００２１】
この発明によれば、隣設される分割パネル２１,２２，２３の接合突起２５がボルト止めされることにより、分割パネル２１，２２，２３同士の連結状態を確実なものとすることができる。
【００２２】
【発明の実施の形態】
図１は、本発明に係る荷箱用パネルが用いられた荷箱の一実施形態を示す斜視図である。この図に示すように、荷箱１０は、直方体状に形成された直方フレーム１１と、この直方フレーム１１の両側部に付設された幅方向一対の側板１２と、同直方フレーム１１の前面部に付設された前方板１３と、同底面部に敷設された底板１４と、同天井部を覆う天板１５と、同後面部に開閉自在に付設された幅方向一対の開閉扉１６とを備えて構成されている。
【００２３】
前記直方フレーム１１は、下部で前後方向に延びる幅方向一対の下部前後フレーム１１ａと、これら一対の下部前後フレーム１１ａの各端部間に架設された前後一対の下部横フレーム１１ｂと、これら下部前後フレーム１１ａおよび下部横フレーム１１ｂの交差位置に立設された４本の支柱フレーム１１ｃと、これらの支柱フレーム１１ｃに支持された前後方向に延びる上部前後フレーム１１ｄと、同幅方向に延びる上部横フレーム１１ｅとからなっている。
【００２４】
そして、前記側板１２は、前記のように形成された直方フレーム１１の各側部で前後の支柱フレーム１１ｃと上下の前後フレーム１１ｄ，１１ａとの間に装着されているとともに、前方板１３は、同前方で左右の支柱フレーム１１ｃと上下の横フレーム１１ｅ，１１ｂとの間に装着されている。また、前記底板１４は、直方フレーム１１における前後の下部横フレーム１１ｂと左右の下部前後フレーム１１ａとの間に装着されているとともに、前記天板１５は、前後の上部横フレーム１１ｅと左右の上部前後フレーム１１ｄとに支持された状態で直方フレーム１１に装着されている。
【００２５】
前記開閉扉１６は、右開閉扉１６ａと左開閉扉１６ｂとからなり、各開閉扉１６ａ，１６ｂが後方左右の支柱フレーム１１ｃに蝶番部材１７を介して回動自在に取り付けられ、これによって観音開きで開閉し得るようになっている。かかる開閉扉１６ａ，１６ｂの表面側の適所には、軸心回りに正逆回動自在に上下方向に延びる係止ロッド１８がそれぞれ設けられ、各開閉扉１６ａ，１６ｂが閉じられた状態で係止ロッド１８を所定方向へ回動操作することによって当該各開閉扉１６ａ，１６ｂが開かないようにロックされる一方、同他方向へ回動操作することによって前記ロックが解除されるようになっている。
【００２６】
そして、本実施形態においては、本発明に係る荷箱用パネルが前記側板１２、前方板１３および開閉扉１６に適用されている。以下、本発明に係る荷箱用パネルについて開閉扉１６に適用されたものを例に挙げて図面を基に説明する。図２は、図１の開閉扉１６（荷箱用パネル２０）のＸ−Ｘ線断面図であり、図３は、荷箱用パネル２０の構成要素である第１分割パネル２１、図４は、同第２分割パネル２２、図５は、同第３分割パネル２３をそれぞれ示す平面図である。また、図６は、縦枠部材３０の一実施形態を示す平面図であり、図７は、押え部材４０を示す平面図である。また、図８は、縦枠部材３０に装着されるガスケット５０の一実施形態を示す平面図である。さらに、図９は、第２縦枠部材６０の一実施形態を示す平面図である。
【００２７】
まず、図２に示すように、荷箱用パネル２０の一実施形態である開閉扉１６の内の右開閉扉１６ａは、右側に位置した第１分割パネル２１と、この第１分割パネル２１の右側に位置した第２分割パネル２２と、さらにこの第２分割パネル２２の右側に位置した第３分割パネル２３とを備えて構成されている。これら第１〜第３分割パネル２１，２２，２３は、それぞれ平板状のパネル本体（後述する第１〜第３表面板２１ａ，２２ａ，２３ａ）を有し、本実施形態においては各パネル本体の裏面側に裏面側パネル（内装材）２９が装着されている。因みに、左開閉扉１６ｂは、右開閉扉１６ａと左右対象で同一の第１分割パネル２１、第２分割パネル２２および第３分割パネル２３を備えて構成されている。
【００２８】
前記裏面側パネル２９は、本実施形態においては、複数の材料が積層されてなるいわゆる合板が採用されているが、かかる合板に代えて、例えばウレタンフォーム製の発泡性合成樹脂などの断熱性能に優れた材料を採用してもよい。特に裏面側パネル２９としてウレタンフォームなどの断熱材料が採用されると、当該裏面側パネル２９の付設された荷箱用パネル２０は、冷凍車用の荷箱１０用として好適なものになる。
【００２９】
かかる開閉扉１６は、蝶番部材１７を介して荷箱１０の支柱フレーム１１ｃに連結されている。蝶番部材１７は、支柱フレーム１１ｃの後面（図２の紙面の下方側）から後方に向けて突設された支柱側ブラケット１７ａと、第１分割パネル２１の表面側（図２の紙面の下方側）に固定されるパネル側ブラケット１７ｂと、これら各ブラケット１７ａ，１７ｂを相対回動可能に連結する上下方向に延びた連結軸１７ｃとを備えて構成されている。
【００３０】
前記パネル側ブラケット１７ｂは、頭部が丸頭に形状設定されたボルトＢを表面側から貫通し、第１分割パネル２１の裏面側から突出した部分にナットＮを螺着して締結することにより当該第１分割パネル２１に固定されるようになっている。
【００３１】
前記第１分割パネル２１は、図３に示すように、第１表面板２１ａと、この第１表面板２１ａの右方位置において裏面側（図３の紙面の上方側）から前方（図３の紙面の上方）に向けて同一突設量で突設された上下方向（図３の紙面を貫通する方向）に延びる３枚の突設板２４と、同左端位置から突設板２４と同一方向へ突設された上下方向に延びる接合突起２５とを備えている。
【００３２】
最右端の突設板２４と中央部の突設板２４との間には、先端部間に第１表面板２１ａと平行に対向架設された板片２６が設けられているとともに、左側の突設板２４の先端部からは前記同様の板片２６が左方に向けて突設されている。前記裏面側パネル２９は、これらの板片２６に積層された状態で第１分割パネル２１に取り付けられる。また、右側の突設板２４、中央の突設板２４、右側の板片２６および第１表面板２１ａの右側部によって上下方向に延びる角筒体２１ｂが形成されている。
【００３３】
前記第２分割パネル２２は、図４に示すように、第２表面板２２ａと、この第２表面板２２ａの略中央部から前方に向けて突設された突設板２４と、第２表面板２２ａの左右の端部から突設板２４と同一方向へ突設された左右一対の接合突起２５とを備えている。突設板２４および右側の接合突起２５には、その先端部から左方に向けて突設された前記同様の板片２６が設けられ、裏面側パネル２９はこれらの板片２６にも当接されるようになっている。
【００３４】
前記第３分割パネル２３は、図５に示すように、第３表面板２３ａと、この第３表面板２３ａの左方位置において裏面側から前方に向けて同一突設量で突設された上下方向に延びる２枚の突設板２４と、同右端位置から突設板２４と同一方向へ突設された上下方向に延びる接合突起２５とを備えている。２枚の突設板２４間の先端部間には板片２６が架設されているとともに、右側の突設板２４の先端部から右方に向けて板片２６が突設されている。
【００３５】
そして、左側の板片２６、一対の突設板２４および第３表面板２３ａの左側部によって第３分割パネル２３における角筒体２３ｂが形成されている。また、第３分割パネル２３の接合突起２５にも、その先端部から左方に向けて突設された板片２６が設けられている。前記裏面側パネル２９は、これらの板片２６に当接された状態で第１〜第３分割パネル２１，２２，２３に装着されることになる。
【００３６】
前記各接合突起２５は、各分割パネル２１，２２，２３を直列に接合するに際し接合部材として利用されるものであり、設置位置によって形状が若干異なっている。まず、第１分割パネル２１に設けられる接合突起２５は、第２分割パネル２２の右側の接合突起２５に接合されるものであり、上下方向に延びる板状の突起本体２５ａと、この突起本体２５ａの基端側から左方に向かって突設された平面視で円弧状の上下方向に延びる円弧突片（凸部）２５ｂと、突起本体２５ａの先端面の右方位置からさらに同一方向に向けて突設された上下方向に延びる小突片２５ｃとからなっている。円弧突片２５ｂは、突起本体２５ａの突出方向に凸になるように形状設定されている。
【００３７】
一方、第２分割パネル２２の右端部に設けられた接合突起２５は、前記同様の突起本体２５ａと、前記円弧突片２５ｂに対応して突起本体２５ａの基端側に凹設された上下方向に延びる円弧溝（凹部）２５ｄと、前記小突片２５ｃに対応して第１分割パネル２１の先端部に当接するように突起本体２５ａの先端部から突設された上下方向に延びる突片２５ｅとからなっている。
【００３８】
したがって、円弧突片２５ｂの先端部を円弧溝２５ｄに差し込んだ状態（この状態では、第１分割パネル２１は第２分割パネル２２に対して平面視で斜めになっている）で第１分割パネル２１を円弧溝２５ｄの曲率中心回りに第２分割パネル２２の接合突起２５へ向けて回転させることにより、第１分割パネル２１は、図２に示すように、第２分割パネル２２に直列で接合された状態になる。
【００３９】
第２分割パネル２２の左端部に設けられた接合突起２５は、第１分割パネル２１に設けられた接合突起２５と同一に形状設定されているとともに、第３分割パネル２３の右端部に設けられた接合突起２５は、第２分割パネル２２の右端部に設けられた接合突起２５と同一に形状設定されている。したがって、第２分割パネル２２の円弧突片２５ｂを第３分割パネル２３の円弧溝２５ｄに差し込むことによって、図２に示すように、第２分割パネル２２が第３分割パネル２３に直列で接合された状態になる。
【００４０】
そして、上記のように第１〜第３分割パネル２１，２２，２３が直列に接合された状態で、互いに当接している接合突起２５をボルト止め（図１０参照）することにより、各分割パネル２１，２２，２３の連結状態が確実なものになる。なお、当接している接合突起２５に対して特にボルト止め等を行わなくても、各分割パネル２１，２２，２３が接合されて形成した接合物の上下の縁部に後述する横枠部材３９（図１）を装着することにより、各分割パネル２１，２２，２３を有効に一体化させることも可能である。
【００４１】
第３分割パネル２３の表面側に付設される前記係止ロッド１８は、図２に示すように、第３表面板２３ａに固定されたＵ字状金具７０に支持されることよって上下動可能に第３分割パネル２３に取り付けられている。
【００４２】
前記Ｕ字状金具７０は、内面側が係止ロッド１８に摺接し得るように円弧状に形成された金具本体７１と、この金具本体７１の各側縁部から直交方向で互いに反対方向に延設された一対の座板片７２とからなっている。そして、各座板片７２が第３表面板２３ａの表面側に当接された状態で、ボルトＢがこれらの座板片７２および第３表面板２３ａに貫挿され、裏面側に突出した当該ボルトＢにナットＮが螺着されて締結されることにより、Ｕ字状金具７０が第３分割パネル２３に取付けられる。かかるＵ字状金具７０の取り付け操作は、裏面側パネル２９が各分割パネル２１，２２，２３に装着される前に実行されるため、裏面側パネル２９に邪魔されることはなく、ボルトＢおよびナットＮによる締結操作が容易になる。
【００４３】
なお、本実施形態においては、Ｕ字状金具７０と第３表面板２３ａとの間に介装板７３が介設された状態でＵ字状金具７０が第３表面板２３ａにボルト止めされ、これによって係止ロッド１８が第３表面板２３ａと当接するのが防止されている。
【００４４】
このように構成された右開閉扉１６ａの原体には、左右の縁部に図６に示すような縦枠部材３０が装着される。縦枠部材３０は、長さ寸法が各分割パネル２１，２２，２３の上下寸法より若干長めに寸法設定され、平面視でコ字状を呈した縦枠本体３１と、この縦枠本体３１の基端側（図６の左側）の一方の角部から反対方向に向けて突設された突設板３２と、縦枠本体３１の基端側の外方位置に形成された装着溝３３とを備えて構成されている。
【００４５】
前記縦枠本体３１は、底板３１ａと、この底板３１ａの各端縁から同一方向に突設された一対の側板（第１側板３１ｂおよび第２側板３１ｃ）とからなっている。そして、前記突設板３２は、第１側板３１ｂ側の底板３１ａ端部から第１側板３１ｂと反対方向へ向けて突設されている。また、第２側板３１ｃの先端部には、若干外方に反れた状態で上下方向に延びる小円柱体３１ｄが一体に付設されている。
【００４６】
前記装着溝３３は、後述するガスケット５０を装着するためのものであり、底板３１ａにおける突設板３２が突設されている側（一方の端縁部側）、および底板３１ａの他方の端縁部側から互いに対向方向に突設された一対の小突片３１ｅによって、開口幅寸法が溝奥の溝幅寸法より小さいいわゆる蟻溝状に形成されている。
【００４７】
前記突設板３２は、装着溝３３に装着された状態のガスケット５０の一部（装着溝３３から外部に突出した部分）を覆うためのものであり、先端部に小さな円柱状に膨出した上下方向へ向けて延びる膨出部３２ａが設けられている。
【００４８】
このように構成された縦枠部材３０は、縦枠本体３１が第１分割パネル２１の右縁部および第３分割パネル２３の左縁部に外嵌された状態でボルト止めによって各分割パネル２１，２３に固定される。なお、図６に示す縦枠部材３０は、第３分割パネル２３の左端縁に装着されるものであり、図６に示す縦枠部材３０を上下逆転させたものが第１分割パネル２１の右端縁に装着される。
【００４９】
そして、かかる縦枠部材３０が第１分割パネル２１および第３分割パネル２３に装着された状態で、図７に示すような押え部材４０が小円柱体３１ｄを介して第２側板３１ｃに装着される。押え部材４０は、裏面側パネル２９を第１分割パネル２１および第３分割パネル２３に固定するためのものであり、上下方向に長尺の平板状の押え板４１と、この押え板４１の一方の端縁から外方に向かって斜めに突設された傾斜突設部４２とからなっている。
【００５０】
傾斜突設部４２の先端部の外角側には、縦枠本体３１の第２側板３１ｃの先端に設けられた小円柱体３１ｄに外嵌される上下方向に延びた平面視で円弧状の外嵌溝４２ａが凹設されている。そして、図６に二点鎖線で示すように、この外嵌溝４２ａを小円柱体３１ｄに外嵌した状態で第３分割パネル２３の裏面側（図６の紙面の上方側）に裏面側パネル２９を重ね合わせ、引き続き押え部材４０を、二点鎖線の矢印で示すように、小円柱体３１ｄ回りに時計方向に回動させることにより、裏面側パネル２９は、第１〜第３分割パネル２１，２２，２３の各板片２６と押え板４１とによって挟持された状態になる。この状態で、押え板４１を、裏面側パネル２９を介して板片２６にリベット止めすることにより、裏面側パネル２９が第１〜第３分割パネル２１，２２，２３に固定されることになる。
【００５１】
前記縦枠部材３０の外面側（図６の左方）には相手方との間に形成される隙間をシールするためのガスケット５０が装着される。かかるガスケット５０は、図８に示すように、上方または下方から縦枠部材３０の装着溝３３に摺接状態で嵌挿される長尺板状のベース材５１と、このベース材５１の一面側から突設された上下方向に長尺のガスケット本体５２とからなっている。
【００５２】
前記ガスケット本体５２は、平面視で略Ｃ字状に形成され、ベース材５１に一体に接合される基部５２ａと、この基部５２ａの後端縁（図８の紙面の下方）から図８における左方に向けて突設された第１側体５２ｂと、同前端縁から同左方に向けて突設された、平面視で第１側体５２ｂより短尺の第２側体５２ｃとからなっている。第１側体５２ｂは、平面視の長さが突設板３２の平面視の長さと略同一になるように寸法設定されている。
【００５３】
基部５２ａは、前後寸法が縦枠部材３０の小突片３１ｅ間の隙間寸法と略同一に寸法設定され、これによってベース材５１を上方または下方から装着溝３３に嵌挿することによってガスケット５０が抜け止め状態で縦枠部材３０に装着されるようになっている。ガスケット５０が縦枠部材３０に装着されることにより、ガスケット本体５２が装着溝３３から外部に突出するとともに、第１側体５２ｂが突設板３２の内面側に密着するようになっている。
【００５４】
そして、本実施形態においては、ガスケット本体５２は、柔軟な軟質の合成樹脂によって形成されているのに対し、ベース材５１は、硬質の合成樹脂によって形成されている。
【００５５】
したがって、全てが軟質の合成樹脂によって形成されている従来のガスケットにおいては、装着溝３３に嵌挿された部分が容易に弾性変形することによって装着溝３３から外れ易いという不都合が生じるが、本実施形態のガスケット５０は、装着溝３３に嵌挿されるベース材５１が硬質の合成樹脂で形成されているためかかる不都合は生じない。
【００５６】
図１０は、右開閉扉１６ａの第１〜第３分割パネル２１，２２，２３に対する裏面側パネル２９の組み付け操作を説明するための平面視の断面図であり、（イ）は、第１〜第３分割パネル２１，２２，２３に裏面側パネル２９が装着される前の状態、（ロ）は、第１〜第３分割パネル２１，２２，２３に裏面側パネル２９が装着された状態をそれぞれ示している。
【００５７】
まず、図１０の（イ）に示す状態では、各分割パネル２１，２２，２３は、互いに当接した接合突起２５にボルトＢが貫通されてナットＮで締結されることにより一体化されている。ボルトＢは、第２分割パネル２２側の接合突起２５から第１分割パネル２１側の接合突起２５に向けて貫通されるとともに、第３分割パネル２３側の接合突起２５から第２分割パネル２２側の接合突起２５に向けて貫通され、これによってボルトＢの頭部は、第２分割パネル２２および第３分割パネル２３の右側の接合突起２５に当接した状態になっている。
【００５８】
ところで、第２および第３分割パネル２２，２３側の接合突起２５には、その突起本体２５ａの左面側に円弧溝２５ｄ（図４、図５）を形成するための隆起部２５ｆと、板片２６の基端側の肉厚部２５ｇが形成されている。そして、本実施形態においては、隆起部２５ｆと肉厚部２５ｇとの間の隙間寸法が、ボルトＢの六角形状を呈した頭部の最小径寸法より僅かに大き目に設定され、これによって前記隙間に嵌り込んだ頭部は回り止めされるようになっている。
【００５９】
したがって、各分割パネル２１，２２，２３の連結時に、互いに当接している突起本体２５ａに第２および第３分割パネル２２，２３側からボルトＢを貫通させることにより、ボルトＢの頭部は隆起部２５ｆおよび肉厚部２５ｇ間の隙間に嵌り込んで回り止めされるため、別途専用の工具を用いて頭部の回り止め操作を行うことなく、ナットＮの締結操作を行うことが可能になり、各分割パネル２１，２２，２３の連結作業の作業性が向上する。
【００６０】
そして、このようにして一体化された第１〜第３分割パネル２１，２２，２３の左右の端縁に、縦枠部材３０の縦枠本体３１がそれぞれ外嵌されるとともに、同上下の端縁に縦枠部材３０と同様に構成された横枠部材３９（図１）が装着され、これら縦枠部材３０と横枠部材３９との当接部分が溶接止めされることによって荷箱用パネル２０が形成されている。荷箱用パネル２０が形成された後に各縦枠本体３１の小円柱体３１ｄに押え部材４０の外嵌溝４２ａがそれぞれ嵌め込まれる（図１０の（イ））。
【００６１】
このようにして得られた荷箱用パネル２０（右開閉扉１６ａ）には、裏面側パネル２９の装着に先立って蝶番部材１７（図２）が装着される。このようにされるのは、裏面側パネル２９が先に荷箱用パネル２０に装着されてしまうと、当該裏面側パネル２９が邪魔になって蝶番部材１７をボルト止めで右開閉扉１６ａに取り付けるのが困難になるからである。
【００６２】
ついで、図１０の（イ）に示す状態の右開閉扉１６ａの裏面側に裏面側パネル２９が重ね合わされ、さらに左右の押え部材４０が互いに対向方向に向けて小円柱体３１ｄ回りに回動される。これによって裏面側パネル２９は、図１０の（ロ）に示すように、第１分割パネル２１および第３分割パネル２３の板片２６と押え部材４０の押え板４１とによって挟持された状態になる。この状態で、リベットＲを縦枠部材３０の第２側板３１ｃおよび板片２６、並びに押え部材４０の押え板４１および同板片２６に貫通させた上で当該リベットＲにかしめ止め処理を施すことによって、縦枠部材３０が右開閉扉１６ａに固定されるとともに、裏面側パネル２９が右開閉扉１６ａに固定された状態になる。
【００６３】
ところで、上記第１〜第３分割パネル２１，２２，２３、縦枠部材３０、押え部材４０およびガスケット５０は、右開閉扉１６ａおよび左開閉扉１６ｂの共通部品であるが、図９に示す第２縦枠部材６０は、左開閉扉１６ｂの第１分割パネル２１（図２）にのみ適用される左開閉扉専用部品である。
【００６４】
かかる第２縦枠部材６０は、図９に示すように、平面視でコ字状を呈した縦枠本体６１と、この縦枠本体６１の平面視における基端部に一体に形成された上下方向に延びる平面視で矩形状を呈した角筒体６２とからなっている。縦枠本体６１は、基端部の底板６１ａと、この底板６１ａの前後の端縁から角筒体６２と反対側に互いに平行に突設された後部の第１側板６１ｂおよび同前部の第２側板６１ｃとからなり、前記角筒体６２は底板６１ａをその一辺部として縦枠本体６１と共用している。
【００６５】
第２側板６１ｃの先端部には、上記縦枠部材３０の小円柱体３１ｄと同様の小円柱体６１ｄが設けられ、この小円柱体６１ｄに押え部材４０が装着されるのは先の縦枠部材３０の場合と同様である。
【００６６】
かかる第２縦枠部材６０は、縦枠本体６１が左開閉扉１６ｂの第３分割パネル２３の右端縁に外嵌され、リベット止めが行われることによって第３分割パネル２３に固定されている。
【００６７】
図１１は、右開閉扉１６ａおよび左開閉扉１６ｂのいずれもが閉じられた状態を示す平面視の部分断面図である。この図に示すように、左右の開閉扉１６ｂ，１６ａが閉じられた状態（因みに左開閉扉１６ｂが閉じられた後に右開閉扉１６ａが閉じられる）では、右開閉扉１６ａの左端縁に縦枠部材３０を介して装着されたガスケット５０は、その長尺の第１側体５２ｂと短尺の第２側体５２ｃとが左開閉扉１６ｂの第３分割パネル２３の右端縁に装着された第２縦枠部材６０の角筒体６２を挟持した状態になっており、これによって左右の開閉扉１６ｂ，１６ａの対向縁部間の隙間がシールされた状態になっている。
【００６８】
本実施形態の荷箱用パネル２０は、以上詳述したように、複数の分割パネル（第１〜第３分割パネル２１，２２，２３）が直列に接合されることによって形成されるものであり、前記各分割パネル２１，２２，２３は、板状のパネル本体（第１〜第３表面板２１ａ，２２ａ，２３ａ）と、各分割パネル２１，２２，２３の縁部から互いに対向するように突設された接合突起２５とを備えてなり、隣設される各分割パネル２１，２２，２３の接合突起２５同士が互いに結合されることによって形成されている。
【００６９】
かかる荷箱用パネル２０によれば、各分割パネル２１，２２，２３を、それぞれの接合突起２５同士が互いに当接するように直列に配置した状態で、当接している接合突起２５同士をボルトＢによる締結で互いに固定することにより、各分割パネル２１，２２，２３が並設されてなる開閉扉１６用の荷箱用パネル２０を得ることができる。
【００７０】
そして、各分割パネル２１，２２，２３は、従来の各分割パネルで採用されていたような接合突起２５を介して表パネルに重ね合わされる表パネルと一体の裏パネルが設けられていないため、当接した接合突起２５同士のボルト止めによる連結操作や、第１分割パネル２１への係止ロッド１８の装着操作を裏パネルに邪魔されることなく行うことができ、従来の荷箱用パネルに比べて組み付け性が向上し、これによって荷箱用パネル２０の製造コストの低減化に貢献することができる。
【００７１】
また、一体に結合された各分割パネル２１，２２，２３の裏面側には、接合突起２５の先端部に形成された板片２６を介して裏面側パネル２９が後付けで設けられ、しかもこの裏面側パネル２９は断熱材料によって形成されていするため、かかる荷箱用パネル２０を組み立てることによって形成された荷箱１０は、例えば冷凍品など、断熱処理が必要な物品の収納用として有効に利用し得るものになる。
【００７２】
また、各分割パネル２１，２２，２３の接合は、当該各分割パネル２１，２２，２３のいずれかの一方側に設けられた円弧突片２５ｂを、対向した他方側の円弧溝２５ｄに嵌め込むことによって行うようになされているため、円弧突片２５ｂを円弧溝２５ｄに嵌め合わせた後に一方側を円弧溝２５ｄの曲率中心回りに回転させることにより、各分割パネル２１，２２，２３は、その直列方向に対して外れ止めされた状態で連結され、荷箱用パネル２０の位置決めを含めた組み付け作業が容易になり、組み付け作業の作業性を向上させることができる。
【００７３】
本発明は、上記の実施形態に限定されるものではなく、以下の内容をも包含するものである。
【００７５】
（２）上記の実施形態においては、裏面側パネル２９として断熱材料製のものが採用されているが、本発明は、裏面側パネル２９が断熱材料製であることに限定されるものではなく、断熱材料に代えて通常のパネル材料によって裏面側パネル２９を構成してもよい。
【００７６】
（３）上記の実施形態においては、各分割パネル２１，２２，２３からなる荷箱用パネル２０を開閉扉１６用として採用した例を詳細に説明したが、上記のような荷箱用パネル２０は、開閉扉１６専用のものであることに限定されるものではなく、同一構成のものを荷箱１０の側壁や天板などにも適用することが可能である。
【００７７】
（４）上記の実施形態においては、各分割パネル２１，２２，２３の接合突起２５同士をボルトＢによって結合しているが、本発明の接合突起２５同士の結合という概念の中には、ボルトＢによる直接的な結合の他に、横枠部材３９を用いて各分割パネル２１，２２，２３を一体化することも接合突起２５同士の結合の概念に含まれる。
【００７８】
（５）上記の実施形態において裏面側パネル２９の荷箱用パネル２０への装着作業の際に、図１０の（イ）に示す状態で押え部材４０の基端部内面側に粘着性を有する所定のシール材（シーラー）を押え部材４０の長手方向に向けて所定厚み（少なくとも裏面側パネル２９の厚み寸法以上）で帯状に塗布してもよい。こうすることによって、裏面側パネル２９が荷箱用パネル２０に装着された、図１０の（ロ）に示す状態で、押え部材４０の基端部と裏面側パネル２９の側端部との間にシーラーが介設された状態になり、これによって雨水等の水が押え部材４０と裏面側パネル２９との隙間から荷箱１０内に侵入するのを確実に防止することができる。
【００７９】
（６）上記の実施形態において、例えば図１０に示す荷箱用パネル２０の横幅寸法を調節するに際しては、第１分割パネル２１の右側部および第３分割パネル２３の左側部のいずれか一方または双方を上下方向（図１０の紙面に直行する方向）に向けて所定の予め切断すればよい。そして、第１分割パネル２１等の切断幅寸法を調節することにより、荷箱用パネル２０の横幅寸法を所望のものにすることができ、荷箱用パネル２０の寸法設定の自由度が向上する。また、分割パネルに前記のような切断処理を施しても、切断部分には縦枠部材３０が被せられるので強度的に問題が生じることはない。
【００８０】
（７）上記の実施形態において、裏面側パネル２９と各分割パネル２１，２２，２３の表面板２１ａ，２２ａ，２３ａとの間の隙間に断熱材を充填するようにしてもよい。こうすることによって荷箱用パネル２０は断熱効果がさらに向上するため、かかる荷箱用パネル２０を用いた荷箱１０は、例えば冷凍車用として極めて好適なものになる。
【００８１】
（８）上記の実施形態において、裏面側パネル２９としてウレタンフォーム等の断熱材を採用する場合、通常、厚み寸法が５０ｍｍ〜７５ｍｍに設定され、その表面側に保護材としてのアルミニウム板の積層されたものが使用される。かかる厚手の断熱材を押え部材４０を介して開閉扉１６に装着するために、図７に示す押え部材４０の形状を厚手の断熱材に対応したものに設計変更する必要がある。具体的には、押え部材４０の押え板４１の基端部が、外方（図７の左方）に向かって折り曲げられた状態（すなわち、傾斜突設部４２の延びる方向に延ばされた状態）で、略中央部が元の押え板４１と平行になるように折り返され、図７に二点鎖線で示すようにＬ字状とされる。こうすることによって厚手の断熱材を押え部材４０を介して開閉扉１６に装着することが可能になる。
【００８２】
【発明の効果】
以上の説明からも明らかなように、本発明の荷箱用パネルは、複数の分割パネルが直列に接合されることによって形成されるものであり、分割パネルは、板状の表面板と、該表面板の縁部から突設された接合突起とを備えてなり、隣設される各表面板の前記接合突起同士が互いに結合されてなるものであるため、従来の分割パネルで採用されていたような一対の接合突起の先端部間に架設される裏パネルが設けられておらず、したがって、当接した接合突起同士のボルト止め等による連結操作や、表面板への各種の部材の装着操作を裏パネルに邪魔されることなく行うことができ、その分、従来の荷箱用パネルに比べて組み付け性が向上し、これによって荷箱用パネルの製造コストの低減化に貢献することができる。
【図面の簡単な説明】
【図１】本発明に係る荷箱用パネルが用いられた荷箱の一実施形態を示す斜視図である。
【図２】図１の開閉扉（荷箱用パネル）のＸ−Ｘ線断面図である。
【図３】荷箱用パネルの構成要素である第１分割パネルを示す平面図である。
【図４】荷箱用パネルの構成要素である第２分割パネル示す平面図である。
【図５】荷箱用パネルの構成要素である第３分割パネルを示す平面図である。
【図６】縦枠部材の一実施形態を示す平面図である。
【図７】押え部材を示す平面図である。
【図８】縦枠部材に装着されるガスケットの一実施形態を示す平面図である。
【図９】第２縦枠部材の一実施形態を示す平面図である。
【図１０】右開閉扉の第１〜第３分割パネルに対する裏面側パネルの組み付け操作を説明するための平面視の断面図であり、（イ）は、第１〜第３分割パネルに裏面側パネルが装着される前の状態、（ロ）は、第１〜第３分割パネルに裏面側パネルが装着された状態をそれぞれ示している。
【図１１】右開閉扉および左開閉扉のいずれもが閉じられた状態を示す平面視の部分断面図である。
【図１２】従来の荷箱用パネルを説明するための図であり、（イ）は、荷箱用パネルが適用された運送車両、（ロ）は、図１のＡ−Ａ線断面図である。
【符号の説明】
１０  荷箱                  １１  直方フレーム
１１ａ  下部前後フレーム    １１ｂ  下部横フレーム
１１ｃ  支柱フレーム        １１ｄ  上部前後フレーム
１１ｅ  上部横フレーム      １２  側板
１３  前方板                １４  底板
１５  天板                  １６  開閉扉
１６ａ  右開閉扉            １６ｂ  左開閉扉
１７  蝶番部材              １７ａ  支柱側ブラケット
１７ｂ  パネル側ブラケット  １７ｃ  連結軸
１８  係止ロッド            ２０  荷箱用パネル
２１  第１分割パネル        ２１ａ  第１表面板
２１ｂ  角筒体              ２２  第２分割パネル
２２ａ  第１表面板          ２３  第３分割パネル
２３ａ  第３表面板          ２３ｂ  角筒体
２４  突設板                ２５  接合突起
２５ａ  突起本体            ２５ｂ  円弧突片（凸部）
２５ｃ  小突片              ２５ｄ  円弧溝（凹部）
２５ｅ  突片                ２５ｆ  隆起部
２５ｇ  肉厚部              ２６  板片
２９  裏面側パネル          ３０  縦枠部材
３１  縦枠本体              ３１ａ  底板
３１ｂ  第１側板            ３１ｃ  第２側板
３１ｄ  小円柱体            ３１ｅ  小突片
３２  突設板                ３２ａ  膨出部
３３  装着溝                ３９  横枠部材
４０  部材                  ４１  押え板
４２  傾斜突設部            ４２ａ  外嵌溝
５０  ガスケット            ５１  ベース材
５２  ガスケット本体        ５２ａ  基部
５２ｂ  第１側体            ５２ｃ  第２側体
６０  第２縦枠部材          ６１  縦枠本体
６１ａ  底板                ６１ｂ  第１側板
６１ｃ  第２側板            ６１ｄ  小円柱体
６２  角筒体                ７０  Ｕ字状金具
Ｃ  運送車両                ７１  金具本体
７２  座板片                ７３  介装板
Ｂ  ボルト                  Ｎ  ナット
Ｒ  リベット
【図１】
0003735588.tif 000002
【図２】
0003735588.tif 000003
【図３】
0003735588.tif 000004
【図４】
0003735588.tif 000005
【図５】
0003735588.tif 000006
【図６】
0003735588.tif 000007
【図７】
0003735588.tif 000008
【図８】
0003735588.tif 000009
【図９】
0003735588.tif 000010
【図１０】
0003735588.tif 000011
【図１１】
0003735588.tif 000012
【図１２】
0003735588.tif 000013